(57)【特許請求の範囲】
【請求項１】
磁性体で形成された円筒状の周壁を有し、少なくとも一方の側の開口部を巻締めして製缶した缶における、巻締部の形状を検査する巻締検査装置であって、
水平面に対して傾斜するように設けられ、上部に前記缶の前記周壁が周接するように載置されると共に、前記缶が自重で転動する走路となる直線状の台座と、
この台座に並設され、前記巻締部の形状に見合った断面形状を有すると共に、前記巻締部を受け入れる直線状の溝部と、
前記缶の他方の側の端部に当接し、該端部側の位置を規定する他方側端部位置規定部材と、
前記缶を挟んで前記台座とは反対側に位置し、前記缶の上方側の位置を規定する上方側位置規定部材と、を備え、
前記台座は、前記缶の前記周壁を吸引できるように、磁化されているか、または、磁石が取り付られていることを特徴とする巻締検査装置。
【請求項２】
台座の上部における缶の周壁に対向する部位には、部分的に凹部が設けられ、缶が転動するときに、前記台座と前記缶の周壁との間に隙間を生ずるように形成されていることを特徴とする請求項１記載の巻締検査装置。
【発明の詳細な説明】
【技術分野】
【０００１】
本発明は、磁性体で形成された円筒状の周壁を有し、少なくとも一方の側の開口部を巻締めして製缶した缶における、巻締部の形状を検査する巻締検査装置に係り、特に、缶が自重で転動する走路となる直線状の台座が、缶の周壁を吸引できるように、磁化されているか、または、磁石が取り付られているものに関する。
【背景技術】
【０００２】
従来、缶の巻締部の形状不良を検査する巻締検査装置にあっては、例えば、特許文献１に示したように、赤外線画像等の画像処理技術を利用した非接触式のものがある一方で、簡易に検査を行うことができるものとして、接触式の巻締検査装置が知られている。
【０００３】
この接触式の巻締検査装置の一例としては、例えば、特許文献２の図５、図６に示したような、オフラインで抜き取り検査を行うものであり、マイクロメータを用いて巻締部における巻締厚さおよび巻締幅などを１２０°ごとに測定するものが知られている。
【０００４】
これに対し、特許文献にはないが、オンラインでの全数検査が可能で接触式の巻締検査装置にあっては、例えば、巻締部の形状に見合った断面形状であって直線状の溝部を有するゲージを作製し、このゲージの溝部に巻締部を対応させて缶を転動させ、ゲージから外れるものは、不良品としてリジェクトするようなものが用いられてきた。
【先行技術文献】
【特許文献】
【０００５】
【特許文献１】特開２００９−６３５６４号公報
【特許文献２】特開平７−６０３８７号公報
【発明の概要】
【発明が解決しようとする課題】
【０００６】
しかしながら、上述したようなオンラインでの全数検査が可能で接触式の巻締検査装置にあっては、簡易に巻締部の検査ができる反面、検査を行う多数の缶の中には、缶が台座上を転動せずに滑降してしまい、巻締部を全周に亘って検査することができず、不良品を良品と誤認し、良品中に不良品が混入するという問題点があった。
【０００７】
この誤認は、特に、金属製の台座に油分が付着して缶との摩擦が小さくなる場合や、巻締部のバリ等が転動の障害となる場合に、顕著となる傾向がある。
【０００８】
本発明は、上述した問題点を解決するためになされたものである。
【課題を解決するための手段】
【０００９】
請求項１に係る発明は、磁性体で形成された円筒状の周壁を有し、少なくとも一方の側の開口部を巻締めして製缶した缶における、巻締部の形状を検査する巻締検査装置であって、水平面に対して傾斜するように設けられ、上部に前記缶の前記周壁が周接するように載置されると共に、前記缶が自重で転動する走路となる直線状の台座と、この台座に並設され、前記巻締部の形状に見合った断面形状を有すると共に、前記巻締部を受け入れる直線状の溝部と、前記缶の他方の側の端部に当接し、該端部側の位置を規定する他方側端部位置規定部材と、前記缶を挟んで前記台座とは反対側に位置し、前記缶の上方側の位置を規定する上方側位置規定部材と、を備え、前記台座は、前記缶の前記周壁を吸引できるように、磁化されているか、または、磁石が取り付られている巻締検査装置である。
【００１０】
請求項２に係る発明は、請求項１記載の巻締検査装置において、台座の上部における缶の周壁に対向する部位には、部分的に凹部が設けられ、缶が転動するときに、前記台座と前記缶の周壁との間に隙間を生ずるように形成されているものである。
【発明の効果】
【００１１】
請求項１に記載の巻締検査装置によれば、台座は、缶の周壁を吸引できるように、磁化されているか、または、磁石が取り付られているため、缶が転動せずに滑降するのを防止することができ、巻締部の形状を全周に亘って確実に検査して不良品を確実に捕捉することができる。
【００１２】
請求項２に記載の発明によれば、請求項１記載の巻締検査装置の効果に加え、台座の上部における缶の周壁に対向する部位には、部分的に凹部が設けられ、缶が転動するときに、前記台座と前記缶の周壁との間に隙間を生ずるように形成されているため、たとえ巻締部のバリが破断して台座に磁着したとしても、隙間にバリを収容することができ、以降の缶転動の障害になるのを防いで巻締検査を連続して円滑に行うことができる。
【図面の簡単な説明】
【００１３】
【図１】本発明の巻締検査装置の一実施例を示した概略的斜視図である。
【図２】図１の概略的正面図である。
【図３】図１の概略的側面図である。
【図４】図１の使用状態を示した概略図であり、図６のＸ−Ｘ線で切断した断面図である。
【図５】図４の要部を拡大して示した概略的断面図である。
【図６】図１の使用状態を示した概略的正面図である。
【図７】図４の要部を拡大して示した概略的断面図である。
【図８】図７に対応し、図１の使用時における不良品の状態を図示した概略的断面図であり、図８（ａ）は巻締部不良の一例を、図８（ｂ）は巻締部不良の他例を、それぞれ示している。
【図９】図４の他の例を示した概略的断面図である。
【図１０】本発明の巻締検査装置により検査される缶の一例を示した概略的斜視図である。
【発明を実施するための形態】
【００１４】
本発明の一実施例を、図１〜図３を参照して説明する。図１において、Ａは、本発明に係る巻締検査装置であり、巻締検査装置Ａは、図１０に示したような、磁性体で形成された円筒状の周壁Ｃ２を有し、少なくとも一方の側の開口部を巻締めして製缶した缶Ｃ（本実施例にあっては、両側の開口部を巻締めしたものを例示）における、巻締部Ｃ１の形状を検査するものであって、概略的に、台座２と、溝部２１と、他方側端部位置規定部材４と、上方側位置規定部材５とを備え、機台１に一体的に取り付けられている。
【００１５】
台座２は、水平面に対して傾斜するように設けられ、上部に缶Ｃの周壁Ｃ２が周接するように載置されると共に、缶Ｃが自重で転動する走路となる直線状のもので、台座２は、缶Ｃの周壁Ｃ２を吸引できるように、磁化されているか、または、磁石が取り付られている（本実施例にあっては、台座２に磁石３を取り付けたものを例示）。
【００１６】
この台座２は、ステンレス鋼等の金属材料や、アルミナやフェライト等のセラミック材料、ポリカーボネイト等の硬質プラスチック材料などにより形成されているが、磁性体あるいは非磁性体のいずれであってもよく、また、台座２自身が磁化しているものであってもよい。
【００１７】
台座２に取り付けられる磁石３は、缶Ｃの周壁Ｃ２を吸引し、該缶Ｃが台座２上を滑降、即ち、缶Ｃが回転せずに滑りながら台座２上を降下するのを防止することができればよく、例えば、フェライト磁石、金属磁石、ボンド磁石などが用いられる。
【００１８】
溝部２１は、図１、図３に示したように、前述した台座２に並設され、缶Ｃの巻締部Ｃ１の形状に見合った断面形状を有すると共に、巻締部Ｃ１を受け入れる直線状のものである。この溝部２１の断面形状は、巻締部Ｃ１の形状に見合うように精度よく形成され、巻締部Ｃ１が異常に変形している場合にあっては、該巻締部Ｃ１が溝部２１に上手く収まらないように構成されている。
【００１９】
他方側端部位置規定部材４は、図２、図３に示したように、周壁Ｃ２を挟んで缶Ｃの巻締部Ｃ１とは反対側（他方の側）の端部Ｃ３に当接し、該端部Ｃ３側の位置を規定するもので、溝部２１と当接面４１との水平方向の距離が一定になるように、台座２の長手方向に沿って設けられている。
なお、図３において、４２は、他方側端部位置規定部材４を機台１へ固定するための取付部材を、４３は、他方側端部位置規定部材４の水平方向の位置を調整するための調整用ボルトナットを、それぞれ示している。
【００２０】
上方側位置規定部材５は、図２、図３に示したように、缶Ｃを挟んで台座２とは反対側に位置し、缶Ｃの上方側の位置を規定するもので、台座２の上面と当接面５１との距離が一定になるように、台座２の長手方向に沿って設けられている。
なお、図２、図３において、５２は、上方側位置規定部材５を機台１へ固定するための取付部材を、５３は、上方側位置規定部材５の位置を調整するための調整用ボルトナットを、それぞれ示している。
【００２１】
次に、上述した実施例のように構成される巻締検査装置Ａの作用について、図４〜図８を参照して説明する。
【００２２】
図４は、缶Ｃを、巻締検査装置Ａに投入した状態を示しており、缶Ｃは、端部Ｃ３が他方側端部位置規定部材４の当接面４１に当接すると共に、周壁Ｃ２の上端部が上方側位置規定部材５の当接面５１により規定され、上方への移動が制限されている。
【００２３】
図５は、図４に図示した溝部２１付近を拡大したもので、正常な巻締めが行われた場合、同図に示したように、缶Ｃの巻締部Ｃ１下端部は、溝部２１内にきっちり収まった状態となり、図６に示したように、投入部６１より投入された缶Ｃは、水平面に対して傾斜するように設けられた巻締検査装置Ａの台座２上を転動しながら降下し、出口部６２から排出される。
【００２４】
ここで、不良品の検出（捕捉）について詳述すると、巻締部Ｃ１の形状と溝部２１の形状との関係を図７に示したが、巻締部Ｃ１の形状が、缶Ｃの全周に亘って巻締厚さＴおよび巻締幅Ｗ共に正常である場合（巻締厚さＴ＝Ｔ１、巻締幅Ｗ＝Ｗ１）、該巻締部Ｃ１が溝部２１内にきっちり収まるもので、缶Ｃの周壁Ｃ２は台座２に当接し、図示していない周壁Ｃ２の上端部が上方側位置規定部材５とは干渉せず、缶Ｃは、台座２上を円滑に転動しながら降下し、出口部６２（図６参照）から排出される。
【００２５】
一方、巻締部Ｃ１の形状が、缶Ｃの周方向における一部または全部において異常（不良）である場合、図８（ａ）に示したような巻締厚さＴの異常（Ｔ２＞Ｔ１）にあっては、巻締部Ｃ１が溝部２１内に収まらず、図８（ｂ）に示したような巻締幅Ｗの異常（Ｗ２＞Ｗ１）にあっては、巻締部Ｃ１がバンク２２に乗り上げ、いずれの場合であっても缶Ｃが矢印ｄ方向に浮き上がり、図示していない周壁Ｃ２の上端部が上方側位置規定部材５に干渉し、缶Ｃの転動が阻止されて台座２の中途で該缶Ｃが停止、即ち、不良品として捕捉することができる。
【００２６】
このとき、缶Ｃの周壁Ｃ２は、磁性体で形成されているため、該周壁Ｃ２が台座２に吸引されて滑ることなく転動し、巻締部Ｃ１の形状を全周に亘って検査して不良品を確実に捕捉することができる。
【００２７】
ところで、図７に示したように、台座２の上部における缶Ｃの周壁Ｃ２に対向する部位には、部分的に凹部２３が設けられ、缶Ｃが転動するときに、台座２と缶Ｃの周壁Ｃ２との間に隙間を生ずるように形成するようにしてもよい。この凹部２３を設けることにより、たとえ巻締部Ｃ１のバリが破断して台座２（磁石３）に磁着したとしても、隙間にバリを収容することができ、以降の缶Ｃ転動の障害になるのを防いで巻締検査を連続して円滑に行うことができる。
【００２８】
なお、上述した実施例にあっては、缶Ｃの底部（端部Ｃ３）を巻締めしたものについて示したが、図９に示したように、缶Ｃの底部（端部Ｃ３）を周壁Ｃ２と一体的に形成したものであってもよい。
【００２９】
また、上述した実施例にあっては、台座２に磁石３を取り付ける例について示したが、台座２自身が磁化しているもの（磁石で形成された台座）であってもよい。
【符号の説明】
【００３０】
Ａ      巻締検査装置
Ｃ      缶
Ｃ１    巻締部
２      台座
２１    溝部
３      磁石
４      他方側端部位置規定部材
５      上方側位置規定部材
【図１】
0005636294.tif 000002
【図２】
0005636294.tif 000003
【図３】
0005636294.tif 000004
【図４】
0005636294.tif 000005
【図５】
0005636294.tif 000006
【図６】
0005636294.tif 000007
【図７】
0005636294.tif 000008
【図８】
0005636294.tif 000009
【図９】
0005636294.tif 000010
【図１０】
0005636294.tif 000011